(57)【要約】【課題】暖房端末器の放熱量を暖房負荷に応じて調節できながら、排熱回収率を向上し得る熱媒循環式暖房装置を提供する。【解決手段】暖房端末器２を通る暖房用熱媒循環路８を通じて熱媒を循環させる暖房用熱媒循環手段９と、暖房用熱媒循環路８を通流する熱媒を加熱する加熱部Ｈと、運転を制御する運転制御手段Ｃとが設けられ、加熱部Ｈが、排熱発生装置Ｂからの排熱が供給される暖房用熱交換器４５と、加熱作動を制御自在な補助加熱器２２とを備えて構成された熱媒循環式暖房装置であって、運転制御手段Ｃは、暖房端末器２の暖房作動中は暖房用熱媒循環手段９を連続して熱媒循環作動させ、且つ、暖房用熱交換器４５による加熱では不足する不足分を補うように補助加熱器２２の加熱作動を制御するように構成されている。【選択図】        図１
2004340483.tif 000002
【特許請求の範囲】
【請求項１】
暖房端末器を通る暖房用熱媒循環路を通じて熱媒を循環させる暖房用熱媒循環手段と、
前記暖房用熱媒循環路を通流する熱媒を加熱する加熱部と、
運転を制御する運転制御手段とが設けられ、
前記加熱部が、排熱発生装置からの排熱が供給される暖房用熱交換器と、加熱作動を制御自在な補助加熱器とを備えて構成された熱媒循環式暖房装置であって、
前記運転制御手段は、前記暖房端末器の暖房作動中は前記暖房用熱媒循環手段を連続して熱媒循環作動させ、且つ、前記暖房用熱交換器による加熱では不足する不足分を補うように前記補助加熱器の加熱作動を制御するように構成されている熱媒循環式暖房装置。
【請求項２】
前記暖房端末器として、複数の暖房端末器が前記暖房用熱媒循環路に互いに並列に設けられ、
前記暖房用熱媒循環路における各暖房端末器に熱媒を通流させる端末流路部分の夫々に、開閉弁が設けられ、
前記複数の暖房端末器夫々の暖房負荷を指令する暖房負荷指令手段が設けられ、
前記運転制御手段は、前記暖房負荷指令手段の指令情報に基づいて、暖房作動中の複数の暖房端末器のうちの最大暖房負荷の暖房端末器に対応する開閉弁は連続して開弁し、且つ、他の暖房端末器に対応する開閉弁はその暖房端末器の暖房負荷に応じた開弁時間と閉弁時間との比にて開閉し、且つ、前記最大暖房負荷の暖房端末器の暖房負荷に対して前記暖房用熱交換器による加熱では不足する不足分を補うように前記補助加熱器の加熱作動を制御するように構成されている請求項１記載の熱媒循環式暖房装置。
【請求項３】
貯湯タンクと貯湯用熱交換器とにわたる貯湯用湯水循環路を通じて湯水を循環させる貯湯用湯水循環手段が設けられ、
前記排熱発生装置からの排熱を導く排熱路が、前記暖房用熱交換器及び前記貯湯用熱交換器に排熱を導くように設けられている請求項１又は２記載の熱媒循環式暖房装置。
【発明の詳細な説明】
【０００１】
【発明の属する技術分野】
本発明は、暖房端末器を通る暖房用熱媒循環路を通じて熱媒を循環させる暖房用熱媒循環手段と、
前記暖房用熱媒循環路を通流する熱媒を加熱する加熱部と、
運転を制御する運転制御手段とが設けられ、
前記加熱部が、排熱発生装置からの排熱が供給される暖房用熱交換器と、加熱作動を制御自在な補助加熱器とを備えて構成された熱媒循環式暖房装置に関する。
【０００２】
【従来の技術】
かかる熱媒循環式暖房装置は、床暖房パネル等の暖房端末器を通る暖房用熱媒循環路を通じて暖房用熱媒循環手段にて熱媒を循環させ、その暖房用熱媒循環路を通流する熱媒を加熱部にて加熱して、熱媒の保有熱を暖房端末器を通じて放熱させて暖房対象部を暖房するものであり、加熱部として、発電手段等の排熱発生装置からの排熱が供給される暖房用熱交換器と、ガス燃焼式の瞬間湯沸し器等の加熱作動を制御自在な補助加熱器とを備えて構成して、排熱発生装置の排熱を暖房用に利用するようにしたものである（例えば、特許文献１参照。）。
このような熱媒循環式暖房装置では、暖房端末器の放熱量を暖房負荷に応じて調節するに、暖房用熱媒循環路に、暖房端末器への熱媒の供給を断続する熱動弁等の開閉弁を設けて、運転制御手段を以下のように制御動作するように構成していた。
即ち、暖房端末器の暖房作動中は、開閉弁を暖房端末器の暖房負荷に応じた開弁時間と閉弁時間との比、換言すれば、開弁時間と閉弁時間とを合わせたサイクル時間に対する開弁時間の比であるデューティにて間欠的に開弁し、その開閉弁の間欠的な開弁に合わせて、開閉弁を開弁している間は熱媒循環作動させ且つ開閉弁を閉弁している間は停止させる状態で、熱媒循環手段を間欠的に熱媒循環作動させ、その熱媒循環手段の熱媒循環作動に伴って熱媒が循環すると、補助加熱手段の加熱作動を開始すると共に熱媒の温度が設定温度になるように補助加熱手段の加熱量を調節するように構成していた。
【０００３】
又、暖房端末器として、複数の暖房端末器を暖房用熱媒循環路に互いに並列に設ける場合があるが、その場合は、各暖房端末器の放熱量を暖房負荷に応じて調節するに、前記暖房用熱媒循環路における各暖房端末器に熱媒を通流させる端末流路部分の夫々に開閉弁を設けて、運転制御手段を以下のように制御動作するように構成していた。
即ち、複数の暖房端末器が暖房作動中は、暖房作動中の各暖房端末器に対応する開閉弁を各暖房端末器の暖房負荷に応じたデューティにて間欠的に開弁し、それら複数の開閉弁の間欠的な開弁に合わせて、少なくとも一つの開閉弁を開弁している間は熱媒循環作動させ且つ全ての開閉弁を閉弁している間は停止させる状態で、熱媒循環手段を間欠的に熱媒循環作動させ、その熱媒循環手段の熱媒循環作動に伴って熱媒が循環すると、補助加熱手段の加熱作動を開始すると共に熱媒の温度が設定温度になるように補助加熱手段の加熱量を調節するように構成していた。
【０００４】
【特許文献１】
特開２００１−２４８９０８号公報
【０００５】
【発明が解決しようとする課題】
しかしながら、従来の熱媒循環式暖房装置では、上述のように熱媒循環手段を間欠的に熱媒循環作動させて、熱媒を間欠的に暖房用熱媒循環路に通流させるものであるので、熱媒の循環が停止している間は、暖房用熱交換器での熱媒への排熱の回収が行われないことになって、排熱発生装置からの排熱の回収が間欠的なものとなり、排熱発生装置からの排熱の回収率を向上して排熱を暖房用として有効に利用する上で、改善の余地があった。
【０００６】
本発明は、かかる実情に鑑みてなされたものであり、その目的は、暖房端末器の放熱量を暖房負荷に応じて調節できながら、排熱回収率を向上し得る熱媒循環式暖房装置を提供することにある。
【０００７】
【課題を解決するための手段】
〔請求項１記載の発明〕
請求項１に記載の熱媒循環式暖房装置は、暖房端末器を通る暖房用熱媒循環路を通じて熱媒を循環させる暖房用熱媒循環手段と、
前記暖房用熱媒循環路を通流する熱媒を加熱する加熱部と、
運転を制御する運転制御手段とが設けられ、
前記加熱部が、排熱発生装置からの排熱が供給される暖房用熱交換器と、加熱作動を制御自在な補助加熱器とを備えて構成されたものであって、
前記運転制御手段は、前記暖房端末器の暖房作動中は前記暖房用熱媒循環手段を連続して熱媒循環作動させ、且つ、前記暖房用熱交換器による加熱では不足する不足分を補うように前記補助加熱器の加熱作動を制御するように構成されている点を特徴構成とする。
即ち、暖房端末器の暖房作動中は暖房用熱媒循環手段が連続して熱媒循環作動して、暖房用熱媒循環路を熱媒が常時循環し、補助加熱手段により、暖房用熱交換器による加熱では不足する不足分が補われる。
つまり、暖房端末器の暖房作動中は、熱媒が暖房用熱媒循環路を常時循環するので、暖房用熱交換器では、排熱が常時熱媒に回収されるものとなり、又、補助加熱手段により、暖房用熱交換器による加熱では不足する不足分が補われるので、暖房端末器における放熱量を暖房負荷に応じて調節することが可能となる。
従って、暖房端末器の放熱量を暖房負荷に応じて調節できながら、排熱回収率を向上し得る熱媒循環式暖房装置を提供することができるようになった。
【０００８】
〔請求項２記載の発明〕
請求項２に記載の熱媒循環式暖房装置は、請求項１において、前記暖房端末器として、複数の暖房端末器が前記暖房用熱媒循環路に互いに並列に設けられ、
前記暖房用熱媒循環路における各暖房端末器に熱媒を通流させる端末流路部分の夫々に、開閉弁が設けられ、
前記複数の暖房端末器夫々の暖房負荷を指令する暖房負荷指令手段が設けられ、
前記運転制御手段は、前記暖房負荷指令手段の指令情報に基づいて、暖房作動中の複数の暖房端末器のうちの最大暖房負荷の暖房端末器に対応する開閉弁は連続して開弁し、且つ、他の暖房端末器に対応する開閉弁はその暖房端末器の暖房負荷に応じた開弁時間と閉弁時間との比にて開閉し、且つ、前記最大暖房負荷の暖房端末器の暖房負荷に対して前記暖房用熱交換器による加熱では不足する不足分を補うように前記補助加熱器の加熱作動を制御するように構成されている点を特徴構成とする。
即ち、複数の暖房端末器が暖房作動中は、暖房用熱媒循環手段が連続して熱媒循環作動して、暖房用熱媒循環路を熱媒が常時循環する状態で、最大暖房負荷の暖房端末器に対応する開閉弁は連続して開弁されて、最大暖房負荷の暖房端末器には連続して熱媒が通流し、最大暖房負荷以外の暖房端末器に対応する開閉弁は、暖房負荷に応じたデューティにて間欠的に開弁されて、最大暖房負荷以外の暖房端末器には暖房負荷に応じたデューティにて間欠的に熱媒が通流し、補助加熱器により、最大暖房負荷の暖房端末器の暖房負荷に対して暖房用熱交換器による加熱では不足する不足分が補われる。
つまり、複数の暖房端末器が暖房作動中は、熱媒が暖房用熱媒循環路を常時循環するので、暖房用熱交換器では、排熱が常時熱媒に回収されるものとなる。
そして、補助加熱器により、最大暖房負荷の暖房端末器の暖房負荷に対して暖房用熱交換器による加熱では不足する不足分が補われながら、最大暖房負荷の暖房端末器には、連続して熱媒が通流し、最大暖房負荷以外の暖房端末器には、暖房負荷に応じた熱媒通流時間と熱媒通流停止時間との比、即ち、暖房負荷に応じたデューティにて間欠的に熱媒が通流するので、暖房作動中の複数の暖房端末器夫々における放熱量を夫々の暖房負荷に応じて調節することが可能となる。
従って、複数の暖房端末器を設けた場合に、複数の暖房端末器夫々の放熱量を夫々の暖房負荷に応じて調節できながら、排熱回収率を向上し得る熱媒循環式暖房装置を提供することができるようになった。
【０００９】
〔請求項３記載の発明〕
請求項３に記載の熱媒循環式暖房装置は、請求項１又は２において、貯湯タンクと貯湯用熱交換器とにわたる貯湯用湯水循環路を通じて湯水を循環させる貯湯用湯水循環手段が設けられ、
前記排熱発生装置からの排熱を導く排熱路が、前記暖房用熱交換器及び前記貯湯用熱交換器に排熱を導くように設けられている点を特徴構成とする。
即ち、貯湯用湯水循環手段により、湯水が貯湯用湯水循環路を通じて貯湯タンクと貯湯用熱交換器とにわたって循環され、排熱発生装置からの排熱が排熱路を通じて暖房用熱交換器及び貯湯用熱交換器を通って流れ、暖房用熱交換器においては、排熱発生装置からの排熱により暖房用熱媒循環路を通流する熱媒が加熱され、貯湯用熱交換器においては、排熱発生装置からの排熱により貯湯用湯水循環路を通流する湯水が加熱される。
つまり、排熱発生装置からの排熱を熱源として、暖房端末器により暖房対象部が暖房され、並びに、貯湯タンクの湯水が加熱される。
従って、排熱発生装置からの排熱を暖房用及び貯湯用として有効に利用可能な熱媒循環式暖房装置を提供することができるようになった。
【００１０】
【発明の実施の形態】
〔第１実施形態〕
以下、図面に基づいて、本発明にかかる熱媒循環式暖房装置を貯湯暖房装置に適用した場合の第１実施形態を説明する。
図１に示すように、この貯湯暖房装置Ａは、排熱発生装置としての燃料電池発電装置Ｂからの排熱を用いて、貯湯タンク１内に温度成層を形成しながら貯湯したり、貯湯タンク１内に貯湯された湯水を給湯したり、暖房端末器としての床暖房パネル２にて暖房対象空間を暖房するように構成してある。
【００１１】
前記貯湯暖房装置Ａは、この貯湯暖房装置Ａの運転を制御する運転制御手段としての貯湯暖房制御部Ｃ、貯湯タンク１、貯湯タンク１内の湯水を貯湯用湯水循環路３を通じて循環させる貯湯用湯水循環手段としての貯湯用ポンプ４、前記貯湯用湯水循環路３を通流する湯水を前記燃料電池発電装置Ｂからの冷却水を熱源として加熱する高温側貯湯用熱交換器５及び低温側貯湯用熱交換器６、貯湯タンク１内の湯水を風呂場や台所等の給湯箇所に給湯する給湯路７、床暖房パネル２を通る暖房用熱媒循環路８を通じて熱媒を循環させる暖房用熱媒循環手段としての暖房用ポンプ９、風呂用循環路１０を通じて図外の浴槽の湯水を循環させる風呂用ポンプ１１、及び、前記暖房用熱媒循環路８や前記風呂用循環路１０を通流する湯水を加熱する加熱部Ｈ等を備えて構成してある。
【００１２】
前記燃料電池発電装置Ｂは、周知であるので詳述はしないが、例えば、固体高分子膜を電解質層とするセルの複数を積層状態に設けた固体高分子型に構成し、各セルの燃料極に燃料ガスとして水素含有ガスを供給し、各セルの酸素極に空気を供給して、水素と酸素との電気化学的な反応により発電を行うように構成してあり、セルの積層体（セルスタック）等を冷却した冷却水が排熱として、排熱路としての冷却水循環路１２を通じて前記貯湯暖房装置Ａに循環供給されるようになっている。
【００１３】
前記貯湯タンク１の上部には、上部接続路１３を接続し、その上部接続路１３を介して、前記給湯路７を貯湯タンク１の上部に接続し、水道圧により給水する給水路１４を貯湯タンク１の底部に給水するように設けて、給湯路７を通じて給湯箇所に給湯されるのに伴って、その給湯量と同量の水が水道圧により貯湯タンク１に給水されるように構成してある。前記給水路１４には、逆止弁１５を設けてある。
又、貯湯タンク１内のエアーを抜くエアー放出路１６を、上部接続路１３を介して貯湯タンク１の上部に接続し、そのエアー放出路１６には、エアー放出弁１７を設けてある。
【００１４】
前記給湯路７には、給水路１４から分岐した混合用給水路１８を接続し、その接続箇所に給湯路７からの湯水と混合用給水路１８からの水との混合比を調整自在なミキシングバルブ１９を設けてある。混合用給水路１８にも、逆止弁２０を設けてある。
【００１５】
又、給湯路７におけるミキシングバルブ１９よりも上流側には、逆止弁２１と、バーナ２２ｂの燃焼により湯水を加熱する補助加熱器２２を上流側から順に設け、更に、その補助加熱器２に流入する湯水の温度を検出する補助加熱器流入サーミスタＴ７と、補助加熱器２２から流出する湯水の温度を検出する出湯サーミスタＴ１を設けてある。給湯路７におけるミキシングバルブ１９よりも下流側には、ミキシングバルブ１９にて混合された湯水の温度を検出するミキシングサーミスタＴ２、給湯路７の湯水の流量を調整する給湯用水比例バルブ２３、給湯路７を通流する湯水の流量、即ち、前記給湯箇所に供給される全湯水の流量を検出する全給湯流量センサ２４を上流側から順に設けてある。前記補助加熱器２２は、加熱対象の湯水を通流させる熱交換器２２ａと、その熱交換器２２ａを加熱する前記バーナ２２ｂと、そのバーナ２２ｂに燃焼用空気を供給する燃焼用ファン２２ｃと、バーナ２２ｂへのガス燃料の供給を断続する燃料用電磁弁２２ｄと、バーナ２２ｂへのガス燃料の供給量を調節する燃料用比例弁２２ｅ等を備えて構成してある。
そして、図示しない点火プラグを作動させて、燃料用電磁弁２２ｄを開弁することによりバーナ２２ｂを燃焼させ、燃料用比例弁２２ｅにより、バーナ２２ｂへのガス燃料の供給量を調節することにより、バーナ２２ｂの燃焼量を調節することになる。
【００１６】
又、給湯路７における前記補助加熱器２２と前記ミキシングバルブ１９との間の箇所に、連通路２９を接続し、その連通路２９を前記上部接続路１３を介して貯湯タンク１の上部に接続し、その連通路２９には、連通路電磁弁３０を設けてある。
又、給湯路７における前記給湯用水比例バルブ２３と前記全給湯流量センサ２４との間の箇所と、前記混合用給水路１８における前記ミキシングバルブ１９と前記逆止弁２０との間の箇所とを連通路３１にて接続し、その連通路３１に、手動バルブ３２を設けてある。
【００１７】
前記給湯路７は、前記全給湯流量センサ２４よりも下流側を、前記給湯箇所のうちの台所や洗面所などの図外の給湯栓に給湯する一般給湯路７ａと、前記給湯箇所のうちの浴槽に湯水を供給するための湯張り路７ｂとに分岐してあり、その湯張り路７ｂは、前記風呂用循環路１０のうちの風呂戻り路１０ｒに接続して、その風呂戻り路１０ｒ及び風呂往き路１０ｆの両路を通して浴槽に湯水を供給するように構成してある。
前記湯張り路７ｂには、その湯張り路７ｂを通流する湯水の流量、即ち、前記給湯箇所のうちの浴槽に供給される湯水の流量を検出する湯張り流量センサ２５、湯張り電磁弁２６、バキュームブレーカ２７、２個の湯張り路逆止弁２８を上流側から順に設けてある。
前記風呂用ポンプ１１は、風呂用循環路１０の風呂戻り路１０ｒに設け、その風呂戻り路１０ｒにおける風呂用ポンプ１１よりも下流側には、風呂水流スイッチ４７を設け、上流側には浴槽から戻る湯水の温度を検出する戻り温度センサＴ５を設けてある。
【００１８】
そして、給湯栓に給湯したり浴槽に湯張りするときには、貯湯暖房制御部Ｃにより、出湯サーミスタＴ１及びミキシングサーミスタＴ２の検出情報に基づいて、ミキシングバルブ１９の開度を調整することにより、所望の温度の湯水を供給するようにしてある。
【００１９】
前記貯湯用湯水循環路３について説明を加えると、貯湯用循環路形成流路３ａを、前記貯湯タンク１の底部と前記給湯路７における前記逆止弁２１よりも上流側箇所とに接続して、貯湯用湯水循環路３を、貯湯用循環路形成流路３ａ、前記給湯路７の一部及び前記上部接続路１３とにより構成し、貯湯用循環路形成流路３ａに、前記貯湯用ポンプ４を前記貯湯タンク１の底部に対して吸い込み作用するように設け、更に、貯湯用循環路形成流路３ａに、低温側貯湯用熱交換器６、高温側貯湯用熱交換器５、その高温側貯湯用熱交換器５から流出して貯湯タンク１に供給される湯水の温度を検出する貯湯温度サーミスタＴ４を湯水通流方向の上流側から順に設けてある。そして、貯湯用ポンプ４を作動させて、貯湯タンク１の湯水を、貯湯タンク１の底部から取り出し、低温側貯湯用熱交換器６及び高温側貯湯用熱交換器５にて加熱した後、貯湯タンク１の上部に戻す形態で貯湯用湯水循環路３を通じて循環させて、貯湯タンク１内に温度成層を形成しながら貯湯するように構成してある。
【００２０】
前記貯湯用循環路形成流路３ａにおける貯湯用ポンプ設置箇所よりも貯湯タンク１の底部側に、その貯湯用循環路形成流路３ａの一部を迂回するように放熱路３３を設けると共に、その貯湯用循環路形成流路３ａと放熱路３３との接続部に、湯水を放熱路３３に通流させる放熱状態と通流させない貯湯状態とに切り換え自在に放熱用三方弁３４を設け、更に、放熱路３３にラジエータ３５を設けると共に、そのラジエータ３５に通風するラジエータファン３６を設けてある。
【００２１】
貯湯タンク１内の底部付近の湯水の温度を検出するように、貯湯量上限検出サーミスタＴ３を設け、その貯湯量上限検出サーミスタＴ３が設定温度以上の温度を検出することに基づいて、貯湯タンク１内の貯湯量が上限に達した貯湯量上限状態を検出するように構成してある。
ちなみに、前記給水路１４は、前記放熱路３３におけるラジエータ設置箇所よりも貯湯タンク１の底部側に接続して、前記放熱路３３の一部及び前記貯湯用循環路形成流路３ａの一部を通じて、貯湯タンク１の底部に給水するように設けてある。
【００２２】
前記加熱部Ｈについて説明を加える。
加熱用循環路形成流路３７ａを、その一端を前記給湯路７における前記補助加熱器２２と前記ミキシングバルブ１９との間の箇所に接続し、他端を前記給湯路７における逆止弁２１と前記補助加熱器流入サーミスタＴ７との間の箇所に接続して設けて、加熱用循環路形成流路３７ａと前記給湯路７の一部とから加熱用熱媒循環路３７を構成し、前記加熱用循環路形成流路３７ａに、加熱用ポンプ３８を前記補助加熱器２２の出口側に吸い込み作用するように設けてある。
【００２３】
加熱用循環路形成流路３７ａにおける加熱用ポンプ３８よりも上流側部分に、暖房用循環路部分３７ｂと風呂用循環路部分３７ｃとに分岐させた後、再び合流させる分岐部分と、加熱用循環路形成流路３７ａを通流する湯水から空気を分離するエアーセパレータ４３とを上流側から順に設け、前記暖房用循環路部分３７ｂには暖房放熱用熱交換器３９と暖房用電磁弁４０とを設け、前記風呂用循環路部分３７ｃには風呂放熱用熱交換器４１と風呂用電磁弁４２とを設け、加熱用循環路形成流路３７ａにおける加熱用ポンプ３８よりも下流側部分に、加熱用循環路形成流路３７ａを通流する湯水の流量を検出する加熱用湯水流量センサ４４と、暖房用熱交換器４５とを上流側から順に設けてある。
【００２４】
前記燃料電池発電装置Ｂから排出される冷却水を燃料電池発電装置Ｂに戻すように冷却水を通流案内する前記冷却水循環路１２を、冷却水が前記高温側貯湯用熱交換器５、前記暖房用熱交換器４５、前記低温側貯湯用熱交換器６の順に流れるように配管してある。
詳細は後述するが、暖房用熱媒循環路８は、熱媒が前記床暖房パネル２と前記暖房放熱用熱交換器３９とを通って流れるように配管し、又、前記風呂用循環路１０は、浴槽の湯水が前記風呂放熱用熱交換器４１を通って流れるように配管してある。
【００２５】
そして、暖房用電磁弁４０を開弁した状態で、加熱用ポンプ３８を作動させると、暖房用熱交換器４５にて燃料電池発電装置Ｂからの排熱としての冷却水にて加熱されたり、補助加熱器２２にて加熱された湯水が暖房放熱用熱交換器３９を通流して、その暖房放熱用熱交換器３９にて、加熱用熱媒循環路３７を通流する湯水により暖房用熱媒循環路８を通流する熱媒が加熱される。
又、風呂用電磁弁４２を開弁した状態で、加熱用ポンプ３８を作動させると、暖房用熱交換器４５にて燃料電池発電装置Ｂからの冷却水にて加熱されたり、補助加熱器２２にて加熱された湯水が風呂放熱用熱交換器４１を通流して、その風呂放熱用熱交換器４１にて、加熱用熱媒循環路３７を通流する湯水により風呂用循環路１０を通流する浴槽の湯水が加熱される。
【００２６】
つまり、前記加熱部Ｈは、前記加熱用熱媒循環路３７、加熱用ポンプ３８、暖房用熱交換器４５、補助加熱器２２、暖房放熱用熱交換器３９、暖房用電磁弁４０、風呂放熱用熱交換器４１及び風呂用電磁弁４１を備えて構成してある。
【００２７】
前記エアーセパレータ４３の気相部分に接続したエアー抜き路４６を、貯湯タンク１の底部に接続して、加熱用熱媒循環路３７内のエアーをエアーセパレータ４３にて分離して、エアー抜き路４６を通じて貯湯タンク１内に導き、貯湯タンク１、上部接続路１３及びエアー放出路１６を通じて外部に放出するように構成してある。
【００２８】
冷却水循環路１２には、冷却水を前記高温側貯湯用熱交換器５を迂回させて通流させる高温側迂回路４８、冷却水を高温側貯湯用熱交換器５と高温側迂回路４８とに分流させる分流比を調節自在な分流用三方弁４９、冷却水を前記暖房用熱交換器４５を迂回させて通流させる暖房用熱交換器迂回路５０、冷却水の全量を暖房用熱交換器４５に通流させる暖房用熱交換器非迂回状態と暖房用熱交換器迂回路５０に通流させる暖房用熱交換器迂回状態とに換え自在な暖房用熱交換器迂回用三方弁５１、冷却水を前記低温側貯湯用熱交換器６を迂回させて通流させる低温側迂回路５２、及び、冷却水の全量を前記低温側貯湯用熱交換器６に通流させる低温側非迂回状態と低温側迂回路５２に通流させる低温側迂回状態とに切り換え自在な低温側迂回用三方弁５３を設けてある。
【００２９】
そして、以下に説明するように、分流用三方弁４９、暖房用熱交換器迂回用三方弁５１及び低温側迂回用三方弁５３夫々を操作することにより、冷却水の通流状態を、分流通流状態、高温側迂回通流状態、暖房用熱交換器迂回通流状態及び両貯湯用熱交換器迂回通流状態に切り換え自在に構成してある。
【００３０】
前記分流通流状態では、暖房用熱交換器迂回用三方弁５１を暖房用熱交換器非迂回状態に切り換え且つ低温側迂回用三方弁５３を前記低温側非迂回状態に切り換えた状態で、分流用三方弁４９により前記分流比を調節して、冷却水を高温側貯湯用熱交換器５と高温側迂回路４８とに分流させたのち合流させて、暖房用熱交換器４５、低温側貯湯用熱交換器６に順次通流させる。
前記高温側迂回通流状態では、分流用三方弁４９を冷却水の全量が高温側迂回路４８に通流する高温側迂回状態に切り換え、且つ、暖房用熱交換器迂回用三方弁５１を前記暖房用熱交換器非迂回状態に切り換え、且つ、低温側迂回用三方弁５３を前記低温側非迂回状態に切り換えて、冷却水を高温側貯湯用熱交換器５を迂回させる状態で、暖房用熱交換器４５、低温側貯湯用熱交換器６に順次通流させる。
暖房用熱交換器迂回通流状態では、分流用三方弁４９を冷却水の全量が高温側貯湯用熱交換器５に通流する高温側非迂回状態に切り換え、且つ、暖房用熱交換器迂回用三方弁５１を前記暖房用熱交換器迂回状態に切り換え、且つ、低温側迂回用三方弁５３を前記低温側非迂回状態に切り換えて、冷却水を暖房用熱交換器４５を迂回させる状態で、高温側貯湯用熱交換器５、低温側貯湯用熱交換器６に順次通流させる。
前記両貯湯用熱交換器迂回通流状態では、分流用三方弁４９を前記高温側迂回状態に切り換え、且つ、暖房用熱交換器迂回用三方弁５１を前記暖房用熱交換器非迂回状態に切り換え、且つ、低温側迂回用三方弁５３を前記低温側迂回状態に切り換えて、冷却水を高温側貯湯用熱交換器５及び低温側貯湯用熱交換器６の両方を迂回させる状態で、暖房用熱交換器４５のみに通流させる。
【００３１】
図１及び図２に基づいて、前記暖房用熱媒循環路８について説明を加える。
暖房用熱媒循環路８は、基端を前記暖房放熱用熱交換器３９の出口に接続し且つ先端に供給ヘッダ５４を接続した暖房往き路８ｆ、基端に戻りヘッダ５５を接続し且つ先端を暖房放熱用熱交換器３９の入口に接続した暖房戻り路８ｒ、供給ヘッダ５４の複数の接続口夫々と戻りヘッダ５５の複数の接続口夫々とを接続する複数の端末流路部分８ｔ、及び、暖房戻り路８ｒと暖房往き路８ｆとを接続する暖房バイパス路８ｂから構成してある。
そして、各端末流路部分３ｔに、床暖房パネル２と開閉弁としての熱動弁５７を設けてある。
つまり、複数の床暖房パネル２を暖房用熱媒循環路８に互いに並列に設けてある。
【００３２】
前記暖房往き路８ｆには、床暖房パネル２に供給される熱媒の温度を検出する暖房往き温度サーミスタＴ６を設けてあり、前記暖房戻り路８ｒには、熱媒の通流方向の上流側から順に、補給水タンク５８、前記暖房用ポンプ９を設けてある。前記補給水タンク５８には、水位の上限を検出する上限センサ５９と下限を検出する下限センサ６０とを設けると共に、給水路１４から分岐した補給水路６１を接続し、その補給水路６１には、補給水電磁弁６２を設けてある。
【００３３】
図１に示すように、貯湯暖房装置Ａに各種制御指令を指令するメインリモコン６３を設け、そのメインリモコン６３には、貯湯暖房装置Ａの運転開始、停止を指令するメイン運転スイッチ（図示省略）、給湯温度を設定する給湯温度設定部（図示省略）、浴槽への湯張りを指令する湯張りスイッチ（図示省略）、目標湯張り温度を設定する湯張り温度設定部（図示省略）、及び、浴槽の追焚を指令する追焚スイッチ６３ａを設けてある。
図２に示すように、複数の床暖房パネル２の夫々に対応させて、床暖房リモコン６４を設け、各床暖房リモコン６４には、床暖房運転の開始及び停止を指令する床暖房運転スイッチ６４ａ、複数段階に設定された要求暖房能力のうちからいずれかを択一的に選択して指令する暖房能力指令部６４ｂ等を設けてある。
【００３４】
以下、貯湯暖房制御部Ｃについて説明する。
貯湯暖房制御部Ｃは、燃料電池発電装置Ｂの運転を制御する燃料電池制御部６５との間で各種制御信号を通信可能に構成すると共に、その燃料電池制御部６５からの制御信号、並びに、メインリモコン６３及び床暖房リモコン６４からの制御指令に基づいて、後述する起動昇温運転、暖房優先並行運転、能力調整並行運転、貯湯単独運転等の各運転を実行するように構成してある。
【００３５】
説明を加えると、燃料電池制御部６５は、燃料電池発電装置Ｂの運転開始指令が指令されると、貯湯暖房制御部Ｃに起動昇温開始指令信号を送信し、燃料電池発電装置Ｃに供給される冷却水の温度が所定の温度に昇温すると、貯湯暖房制御部Ｃに燃料電池発電装置Ｂが通常運転を開始したことを示す通常運転開始信号を送信し、燃料電池発電装置Ｂの運転停止指令が指令されると、貯湯暖房制御部Ｃに燃料電池発電装置Ｂの運転が停止されたことを示す運転停止信号を送信する。
そして、前記起動昇温運転は、燃料電池制御部６５から前記起動昇温開始指令信号が送信されると開始し、燃料電池制御部６５から前記通常運転開始信号が送信されると停止し、前記暖房優先並行運転、能力調整並行運転及び貯湯単独運転は、燃料電池制御部６５から前記通常運転開始信号が送信されてから前記運転停止信号が送信されるまでの間、各運転を開始する運転開始条件が満たされることも基づいて、いずれか一つを選択的に実行する。
【００３６】
つまり、前記暖房優先並行運転を開始するための暖房優先並行運転開始条件は、複数の床暖房リモコン６４のうちの少なくとも一つから床暖房運転開始指令が指令されることである。又、前記暖房優先並行運転を停止するための暖房優先並行運転停止条件は、全ての床暖房リモコン６４が床暖房運転の停止を指令するオフ状態になることである。
前記能力調整並行運転を開始するための能力調整並行運転開始条件は、全ての床暖房リモコン６４が前記オフ状態で且つメインリモコン６３の追焚スイッチ６３ａにて浴槽の追焚が指令されることである。又、前記能力調整並行運転を停止するための能力調整並行運転停止条件は、戻り温度センサＴ５の検出温度が前記メインリモコン６３の湯張り温度設定部にて設定された目標湯張り温度になるか、又は、前記追焚スイッチ６３ａにて追焚の停止が指令されることである。
前記貯湯単独運転を開始するための貯湯単独運転開始条件は、前記暖房優先並行運転停止条件及び能力調整並行運転停止条件の両方が満たされることである。
【００３７】
予め、補助加熱器２２の燃焼を開始する設定燃焼開始温度及び燃焼を停止する設定燃焼停止温度を、複数段階の要求暖房能力に対応させて要求暖房能力が大になるほど高くなるように設定し、並びに、熱動弁５７の開弁時間及び閉弁時間を、複数段階の要求暖房能力に対応させ要求暖房能力が大になるほど開弁時間のデューティが大きくなるように設定し、それら設定燃焼開始温度／設定燃焼停止温度、及び、開弁時間／閉弁時間を、複数段階の要求暖房能力に対応させて貯湯暖房制御部Ｃに記憶させてある。
ちなみに、要求暖房能力が「１」〜「７」の７段階（数字が大きいほ要求暖房能力が大きい）に設定されているときは、要求暖房能力「１」、「２」、「３」、「４」、「５」、「６」、「７」に対応させて、設定燃焼開始温度／設定燃焼停止温度はそれぞれ、「６５°Ｃ／６０°Ｃ」、「６３°Ｃ／５８°Ｃ」、「６１°Ｃ／５６°Ｃ」、「５９°Ｃ／５４°Ｃ」、「５７°Ｃ／５２°Ｃ」、「５５°Ｃ／５０°Ｃ」、「５３°Ｃ／４８°Ｃ」に、並びに、開弁時間／閉弁時間はそれぞれ、「１８分／２分」、「１６分／４分」、「１４分／６分」、「１２分／８分」、「１０分／１０分」、「８分／１２分」、「６分／１４分」に設定してある。
【００３８】
以下、上記の各運転について説明する。
先ず、前記暖房優先並行運転について説明する。
暖房優先並行運転では、分流用三方弁４９、暖房用熱交換器迂回用三方弁５１及び低温側迂回用三方弁５３を冷却水の通流状態が前記高温側迂回通流状態になるように切り換え、暖房用電磁弁４０を開弁し、貯湯用ポンプ４、暖房用ポンプ９及び加熱用ポンプ３８を作動させ、更に、１台の床暖房リモコン６４から床暖房運転開始指令が指令されるときと、複数台の床暖房リモコン６４から床暖房運転開始指令が指令されるときとに応じて、以下のように制御作動する。
【００３９】
１台の床暖房リモコン６４から床暖房運転開始指令が指令されると、その床暖房運転開始指令が指令された床暖房パネル２に対応する熱動弁５７を連続して開弁する状態で、暖房往き温度サーミスタＴ６の検出温度が床暖房リモコン６４の暖房能力指令部６４ｂにて指令された指令要求暖房能力に対応する設定燃焼開始温度以下になると、出湯サーミスタＴ１の検出温度が所定の設定出湯温度になるように燃焼量を調節する設定燃焼条件にて補助加熱器２２のバーナ２２ｂを燃焼させ、暖房往き温度サーミスタＴ６の検出温度が前記指令要求暖房能力に対応する設定燃焼停止温度以上になるとバーナ２２ｂを消火する形態で、補助加熱器２２のバーナ２２ｂを間欠的に燃焼させる。尚、バーナ２２ｂの燃焼の開始は、加熱用ポンプ３８の作動により加熱用熱媒循環路３７を湯水が通流することにより、加熱用湯水流量センサ４４の検出流量が設定流量以上になっている状態で行うことになる。
【００４０】
又、複数台の床暖房リモコン６４から床暖房運転開始指令が指令されると、床暖房運転開始指令が指令された複数の床暖房パネル２のうち暖房能力指令部６４ｂにて指令された指令要求暖房能力が最大、即ち最大暖房負荷の床暖房パネル２に対応する熱動弁５７を連続して開弁する状態で、他の床暖房パネル２に対応する熱動弁５７を暖房能力指令部６４ｂにて指令された指令要求暖房能力に対応する開弁時間／閉弁時間にて間欠的に開弁し、且つ、暖房往き温度サーミスタＴ６の検出温度が前記最大暖房負荷の床暖房パネル２の指令要求暖房能力に対応する設定燃焼開始温度以下になると、前記設定燃焼条件にて補助加熱器２２のバーナ２２ｂを燃焼させ、暖房往き温度サーミスタＴ６の検出温度が前記指令要求暖房能力に対応する設定燃焼停止温度以上になるとバーナ２２ｂを消火する形態で、補助加熱器２２のバーナ２２ｂを間欠的に燃焼させる。
そして、前記暖房優先並行運転停止条件が満たされると、補助加熱器２２のバーナ２２ｂを消火し、暖房用ポンプ９を停止させ、暖房用電磁弁４０を閉弁し、前記能力調整並行運転か貯湯単独運転のいずれかを開始することになる。
【００４１】
暖房優先並行運転では、複数台の床暖房パネル２が暖房作動するときは、図１において太線にて示すように、燃料電池発電装置Ｂからの冷却水が冷却水循環路１２を高温側貯湯用熱交換器５を迂回する状態で、暖房用熱交換器４５、低温側貯湯用熱交換器６の順に通流し、加熱用熱媒循環路３７を湯水が循環し、暖房用熱媒循環路８を通じて、熱媒が最大暖房負荷の床暖房パネル２を常時循環し、その他の床暖房パネル２を指令要求暖房能力に応じたデューティにて間欠的に循環し、その暖房用熱媒循環路８を循環する熱媒の温度が、最大暖房負荷の床暖房パネル２の指令要求暖房能力に応じた温度範囲になるように、暖房用熱交換器４５による加熱では不足する不足分が補助加熱器２２にて補われる状態で、暖房用熱交換器４５及び補助加熱器２２にて加熱される。具体的には、加熱用熱媒循環路３７を循環する湯水が暖房用熱交換器４５及び補助加熱器２２にて加熱され、暖房放熱用熱交換器３９にて、加熱用熱媒循環路３７を循環する湯水により暖房用熱媒循環路８を通流する熱媒が加熱されることになる。
従って、貯湯タンク１には温度成層を形成する状態で貯湯され、各暖房端末器２により、各暖房端末器２について指令された要求暖房能力にて暖房されることになる。
【００４２】
又、１台の床暖房パネル２が暖房作動するときは、燃料電池発電装置Ｂからの冷却水が冷却水循環路１２を高温側貯湯用熱交換器５を迂回する状態で、暖房用熱交換器４５、低温側貯湯用熱交換器６の順に通流し、加熱用熱媒循環路３７を湯水が循環し、暖房用熱媒循環路８を通じて熱媒が床暖房運転開始指令が指令された床暖房パネル２を常時循環し、その暖房用熱媒循環路８を循環する熱媒の温度が床暖房パネル２の指令要求暖房能力に応じた温度範囲になるように、暖房用熱交換器４５による加熱では不足する不足分が補助加熱器２にて補われる状態で、暖房用熱交換器４５及び補助加熱器２にて加熱されることになる。
【００４３】
上記のように暖房優先並行運転を実行しているときに、メインリモコン６３の追焚スイッチ６３ａにて浴槽の追焚が指令されると、風呂用電磁弁４２を開弁すると共に、風呂用ポンプ１１を作動させて追焚を開始し、戻り温度センサＴ５の検出温度がメインリモコン６３の湯張り温度設定部にて設定された目標湯張り温度になるか、又は、前記追焚スイッチ６３ａにて追焚の停止が指令されると、風呂用電磁弁４２を閉弁すると共に、風呂用ポンプ１１を停止させて追焚を停止する。
【００４４】
つまり、貯湯運転制御部Ｃにて、運転を制御する運転制御手段Ｃを構成し、複数の床暖房リモコン６４の暖房能力指令部６４ｂにて、複数の暖房端末器２夫々の要求暖房能力を夫々の暖房負荷として指令する暖房負荷指令手段６４ｂを構成し、暖房用ポンプ９にて暖房用熱媒循環手段９を構成してある。つまり、指令される要求暖房能力が大きいほど、指令される暖房負荷が大きいことになる。
【００４５】
そして、前記運転制御手段Ｃは、暖房端末器２の暖房作動中は暖房用熱媒循環手段９を連続して熱媒循環作動させ、且つ、暖房用熱交換器４５による加熱では不足する不足分を補うように補助加熱器２２の加熱作動を制御するように構成してある。
又、前記運転制御手段Ｃは、暖房負荷指令手段６４ｂの指令情報に基づいて、暖房作動中の複数の暖房端末器２のうちの最大暖房負荷の暖房端末器２に対応する開閉弁５７は連続して開弁し、且つ、他の暖房端末器２に対応する開閉弁５７はその暖房端末器２の暖房負荷に応じた開弁時間と閉弁時間との比にて開閉し、且つ、前記最大暖房負荷の暖房端末器２の暖房負荷に対して暖房用熱交換器４５による加熱では不足する不足分を補うように補助加熱器２２の加熱作動を制御するように構成してある。
【００４６】
前記能力調整並行運転では、分流用三方弁４９、暖房用熱交換器迂回用三方弁５１及び低温側迂回用三方弁５３を冷却水の通流状態が前記分流通流状態になるように切り換え、且つ、風呂用電磁弁４２を開弁し、且つ、貯湯用ポンプ４、加熱用ポンプ３８及び風呂用ポンプ１１を作動させた状態で、貯湯温度サーミスタＴ４の検出温度が所定の設定貯湯温度になるように、分流用三方弁４９を制御し、且つ、前記補助加熱器流入サーミスタＴ７の検出温度が前記設定出湯温度よりも低くなると、前記設定燃焼条件にて補助加熱器２２のバーナ２２ｂを燃焼させる。
そして、前記能力調整並行運転停止条件が満たされると、補助加熱器２２のバーナ２２ｂを消火し、風呂用電磁弁４２を閉弁し、風呂用ポンプ１１を停止させて追焚を停止し、前記暖房優先並行運転か貯湯単独運転のいずれかを開始することになる。
【００４７】
前記貯湯単独運転では、分流用三方弁４９、暖房用熱交換器迂回用三方弁５１及び低温側迂回用三方弁５３を冷却水の通流状態が前記暖房用熱交換器迂回通流状態になるように切り換え、且つ、貯湯用ポンプ４を作動させ、且つ、加熱用ポンプ３８を停止させる。
【００４８】
上述のように暖房優先並行運転、能力調整並行運転及び貯湯単独運転のいずれかを実行中は、貯湯暖房制御部Ｃは、貯湯量上限検出サーミスタＴ３の検出情報に基づいて、前記貯湯量上限状態でないときは前記放熱用三方弁３４を前記貯湯状態に切り換え、貯湯量上限状態のときは前記放熱用三方弁３４を前記放熱状態に切り換えると共に、前記ラジエータファン３６を作動させる。
従って、貯湯タンク１内の貯湯量が上限に達すると、貯湯タンク１の底部から取り出した湯水をラジエータ３５にて冷却した後、低温側貯湯用熱交換器６及び高温側貯湯用熱交換器５に通流させるようにして、それら低温側貯湯用熱交換器６及び高温側貯湯用熱交換器５にて燃料電池発電装置Ｂからの冷却水を所定通りに冷却するように構成してある。
【００４９】
前記起動昇温運転では、分流用三方弁４９、暖房用熱交換器迂回用三方弁５１及び低温側迂回用三方弁５３を冷却水の通流状態が前記両貯湯用熱交換器迂回通流状態になるように切り換え、風呂用電磁弁４２を開弁し、暖房用電磁弁４０を閉弁し、加熱用ポンプ３８を作動させ、貯湯用ポンプ４、暖房用ポンプ９及び風呂用ポンプ１１を停止させた状態で、出湯サーミスタＴ１の検出温度が所定の起動昇温用の設定温度になるように、バーナ２２ｂの燃焼量を調節する。
この起動昇温運転では、補助加熱器２２にて加熱された湯水が加熱用熱媒循環路３７を循環して、暖房用熱交換器４５にて、加熱用熱媒循環路３７を通流する湯水にて冷却水循環路１２を通流する冷却水が加熱されるので、燃料電池発電装置Ｂの起動時間を短縮することが可能となる。
【００５０】
〔第２実施形態〕
以下、図面に基づいて、本発明にかかる熱媒循環式暖房装置を貯湯暖房装置に適用した場合の第２実施形態を説明する。
図３に示すように、第２実施形態では、主として、加熱部Ｈの構成が異なる点、及び、浴槽の湯張り並びに追焚機能を省略した以外は、第１実施形態と同様に構成してあるので、第１実施形態と同じ構成要素や同じ作用を有する構成要素については、重複説明を避けるために、同じ符号を付すことにより説明を省略し、主として、加熱部Ｈについて説明する。
【００５１】
補助加熱器２２には、第１実施形態における熱交換器２２ａに代えて、給湯路７を通流する湯水を加熱す給湯加熱用熱交換器２２ｆ、後述する暖房用熱媒循環路８の暖房往き路８ｆを通流する熱媒を加熱する暖房加熱用熱交換器２２ｇを設けてある以外は、第１実施形態と同様に構成してある。
【００５２】
暖房用熱媒循環路８の暖房往き路８ｆを、その基端を暖房用熱交換器４５の出口に接続し、補助加熱器２２の暖房加熱用熱交換器２２ｇを通過するように配管し、暖房戻り路８ｒは、その先端を暖房用熱交換器４５の入口に接続するように配管してある。そして、暖房用熱媒循環路８を通じて、熱媒を暖房用熱交換器４５、補助加熱器２２、複数の床暖房パネル２を通って通流させるようにして、熱媒を暖房用熱交換器４５や補助加熱器２２にて加熱しながら、床暖房パネル２にて放熱させるように構成してある。
つまり、前記加熱部Ｈは、前記暖房用熱交換器４５と補助加熱器２２とを備えて構成してある。
床暖房パネル２に供給される熱媒の温度を検出する暖房往き温度サーミスタＴ６は、暖房往き路８ｆにおける補助加熱器２２と供給ヘッダ５４との間の箇所に設けてある。
【００５３】
貯湯暖房制御部Ｃは、燃料電池制御部６５から前記通常運転開始信号が送信されてから、燃料電池発電装置Ｂの運転が停止されることを示す運転停止信号が送信されるまでの間、床暖房リモコン６４からの制御指令に基づいて、暖房優先並行運転及び貯湯単独運転のいずれか一つが選択的に実行するように構成してある。
前記暖房優先並行運転は、第１実施形態において説明した暖房優先並行運転開始条件が満たされると開始し、第１実施形態において説明した暖房優先並行運転停止条件が満たされると停止する。
又、貯湯単独運転は、前記暖房優先並行運転停止条件が満たされると実行する。
【００５４】
暖房優先並行運転では、分流用三方弁４９、暖房用熱交換器迂回用三方弁５１及び低温側迂回用三方弁５３を冷却水の通流状態が前記高温側迂回通流状態になるように切り換え、貯湯用ポンプ４及び暖房用ポンプ９を作動させ、更に、１台の床暖房リモコン６４から床暖房運転開始指令が指令されるときと、複数台の床暖房リモコン６４から床暖房運転開始指令が指令されるときとに応じて、以下のように制御作動する。
１台の床暖房リモコン６４から床暖房運転開始指令が指令されると、その床暖房運転開始指令が指令された床暖房パネル２に対応する熱動弁５７を連続して開弁する状態で、暖房往き温度サーミスタＴ６の検出温度が床暖房リモコン６４の暖房能力指令部６４ｂにて指令された指令要求暖房能力に対応する設定燃焼開始温度以下になると、所定の設定暖房用燃焼量にて補助加熱器２２のバーナ２２ｂを燃焼させ、暖房往き温度サーミスタＴ６の検出温度が前記指令要求暖房能力に対応する設定燃焼停止温度以上になるとバーナ２２ｂを消火する形態で、補助加熱器２２のバーナ２２ｂを間欠的に燃焼させる。
【００５５】
又、複数台の床暖房リモコン６４から床暖房運転開始指令が指令されると、床暖房運転開始指令が指令された複数の床暖房パネル２のうち暖房能力指令部６４ｂにて指令された指令要求暖房能力が最大、即ち最大暖房負荷の床暖房パネル２に対応する熱動弁５７を連続して開弁する状態で、他の床暖房パネル２に対応する熱動弁５７を暖房能力指令部６４ｂにて指令された指令要求暖房能力に対応する開弁時間／閉弁時間にて間欠的に開弁し、且つ、暖房往き温度サーミスタＴ６の検出温度が前記最大暖房負荷の床暖房パネル２の指令要求暖房能力に対応する設定燃焼開始温度以下になると、前記設定暖房用燃焼量にて補助加熱器２２のバーナ２２ｂを燃焼させ、暖房往き温度サーミスタＴ６の検出温度が前記指令要求暖房能力に対応する設定燃焼停止温度以上になるとバーナ２２ｂを消火する形態で、補助加熱器２２のバーナ２２ｂを間欠的に燃焼させる。
【００５６】
つまり、暖房優先並行運転では、複数台の床暖房パネル２が暖房作動するときは、図３に太線にて示す如く、第１実施形態と同様に、暖房用熱媒循環路８を通じて、熱媒が最大暖房負荷の床暖房パネル２を常時循環し、その他の床暖房パネル２を指令要求暖房能力に応じたデューティにて間欠的に循環し、その暖房用熱媒循環路８を循環する熱媒の温度が、最大暖房負荷の床暖房パネル２の指令要求暖房能力に応じた温度範囲になるように、暖房用熱交換器４５による加熱では不足する不足分が補助加熱器２２にて補われる状態で、暖房用熱交換器４５及び補助加熱器２２にて加熱される。
又、１台の床暖房パネル２が暖房作動するときも、第１実施形態と同様に、暖房用熱媒循環路８を通じて熱媒が床暖房運転開始指令が指令された床暖房パネル２を常時循環し、その暖房用熱媒循環路８を循環する熱媒の温度が床暖房パネル２の指令要求暖房能力に応じた温度範囲になるように、暖房用熱交換器４５による加熱では不足する不足分が補助加熱器２にて補われる状態で、暖房用熱交換器４５及び補助加熱器２にて加熱されることになる。
【００５７】
又、前記貯湯単独運転では、分流用三方弁４９、暖房用熱交換器迂回用三方弁５１及び低温側迂回用三方弁５３を冷却水の通流状態が前記暖房用熱交換器迂回通流状態になるように切り換え、且つ、貯湯用ポンプ４を作動させ、且つ、暖房用ポンプ９を停止させる。
【００５８】
〔別実施形態〕
次に別実施形態を説明する。
（イ）  前記暖房用熱交換器４５に供給する排熱としては、上記の実施形態において例示した燃料電池発電装置Ｂの排熱に限定されるものではない。
例えば、エンジンにて駆動される発電装置を設けた場合は、エンジンの冷却水を排熱として供給することになる。
又、空調用として、エンジンにて駆動されるヒートポンプを設けた場合も、エンジンの冷却水を排熱として供給することになる。この場合、前記加熱部Ｈは、前記暖房用熱交換器４５及び前記補助加熱器２２に加えて、前記ヒートポンプにて得られる熱を熱源とする熱交換器を備えて構成することも可能である。
【００５９】
（ロ）  暖房負荷指令手段の具体例としては、上記の実施形態において例示したところの、複数の暖房負荷指令手段６４ｂにて構成する場合に限定されるものではない。
例えば、複数の床暖房パネル２の夫々に対応して、目標暖房温度を設定する目標暖房温度設定部、及び、暖房対象部の温度を検出する暖房対象部温度センサにて構成しても良い。この場合、前記目標暖房温度設定部にて設定される暖房目標温度と前記暖房対象部温度センサの検出温度との偏差を暖房負荷として指令するように構成する。
【００６０】
（ハ）  上記の各実施形態では、複数の床暖房リモコン６４のうちの少なくとも一つから床暖房運転開始指令が指令された場合、冷却水の通流状態を前記高温側迂回通流状態にした状態で、暖房用電磁弁４０（第２実施形態では不要）、貯湯用ポンプ４、暖房用ポンプ９、加熱用ポンプ３８（第２実施形態では不要）、複数の熱動弁５７及び補助加熱器２２を上述のように制御して暖房運転を実行する場合について例示したが、暖房運転を実行するときの冷却水の通流状態は、前記高温側迂回通流状態に限定されるものではない。
例えば、分流用三方弁４９、暖房用熱交換器迂回用三方弁５１及び低温側迂回用三方弁５３を冷却水の通流状態が前記分流通流状態になるように切り換えた状態で、暖房運転を実行するように構成しても良い。
あるいは、分流用三方弁４９を前記高温側非迂回状態に切り換え、且つ、暖房用熱交換器迂回用三方弁５１を前記暖房用熱交換器非迂回状態に切り換え、且つ、低温側迂回用三方弁５３を前記低温側非迂回状態に切り換えて、冷却水の全量を高温側貯湯用熱交換器５、暖房用熱交換器４５、低温側貯湯用熱交換器６の順に通流させる通常通流状態にした状態で、暖房運転を実行するように構成しても良い。
【００６１】
（ニ）  暖房用熱交換器４５による加熱では不足する不足分を補うように前記補助加熱器２２の加熱作動を制御するように構成するに、上記の実施形態においては、暖房負荷に応じて設定された前記設定燃焼開始温度及び前記設定燃焼停止温度を用いて補助加熱器２２のバーナ２２ｂを間欠的に燃焼させるように構成した。
これに代えて、上記の第２実施形態の構成において、暖房負荷が高くなるほど高くなるよう、暖房負荷に応じて目標供給熱媒温度を設定して、暖房往き温度サーミスタＴ６の検出温度が暖房負荷に応じた目標供給熱媒温度になるように、補助加熱器２２のバーナ２２ｂの燃焼量を調節するようにしても良い。
【００６２】
（ホ）  上記の実施形態で設けた高温側貯湯用熱交換器５及び低温側貯湯用熱交換器６のうちのいずれか一方のみを設けても良い。この場合、床暖房運転及び追焚のうちの少なくとも一方が指令されたときは、冷却水が１個の貯湯用熱交換器と暖房用熱交換器４５を通流する状態にし、床暖房運転及び追焚のいずれも指令されないときは、冷却水が１個の貯湯用熱交換器のみを通流する状態にする。
【００６３】
（ヘ）  上記の実施形態においては、前記暖房端末器として、複数の暖房端末器を前記暖房用熱媒循環路８に互いに並列に設ける場合について例示したが、１台の暖房端末器を設けても良い。
又、前記暖房端末器の具体例としては、上記の実施形態において例示した床暖房パネル２に限定されるものではなく、例えば、ファンコイルユニットでも良い。
又、前記暖房端末器として、複数の暖房端末器を前記暖房用熱媒循環路８に互いに並列に設ける場合において、上記の実施形態において例示したように同種のものを設ける場合に代えて、異種のものを混在させて設けても良い。
【００６４】
（ト）  上記の実施形態においては、前記暖房用熱交換器４５と前記貯湯用熱交換器としての前記高温側貯湯用熱交換器５及び前記低温側貯湯用熱交換器６とを前記冷却水循環路１２に直列状に設ける場合について例示したが、これら暖房用熱交換器４５と貯湯用熱交換器とを前記冷却水循環路１２に並列状に設けても良い。この場合、冷却水を前記暖房用熱交換器４５と前記貯湯用熱交換器とに分流させる分流弁を設けて、床暖房運転及び追焚のうちの少なくとも一方が指令されたときは、冷却水が前記暖房用熱交換器４５及び前記貯湯用熱交換器の両方を通流する状態にし、床暖房運転及び追焚のいずれも指令されないときは、冷却水が前記貯湯用熱交換器のみを通流する状態にするように前記分流弁を操作する。
【図面の簡単な説明】
【図１】第１実施形態にかかる貯湯暖房装置の全体構成を示すブロック図
【図２】第１実施形態にかかる貯湯暖房装置の要部のブロック図
【図３】第２実施形態にかかる貯湯暖房装置の全体構成を示すブロック図
【符号の説明】
１      貯湯タンク
２      暖房端末器
３      貯湯用湯水循環路
４      貯湯用循環手段
５，６  貯湯用熱交換器
８      暖房用熱媒循環路
８ｔ    端末流路部分
９      暖房用熱媒循環手段
１２    排熱路
２２    補助加熱器
４５    暖房用熱交換器
５７    開閉弁
６４ｂ  暖房負荷指令手段
Ｂ      排熱発生装置
Ｃ      運転制御手段
Ｈ      加熱部
【図１】
2004340483.tif 000003
【図２】
2004340483.tif 000004
【図３】
2004340483.tif 000005